(57)【要約】      （修正有）【課題】釣り人の嗜好に沿って、釣り人にとって機能的にもデザイン的にも使いやすいものを、標準で装着されているハンドルと交換して、釣り用リールに極めて迅速且つ簡便に固定できる釣り用リールのハンドルを提供する。【解決手段】一端にハンドル側雄螺合部と他端にリール側雄螺合部が設けてある釣り用リールのハンドル固定金具を、釣り用リールのハンドル中央の孔に挿入し、溝付き六角袋ナットを釣り用リールのハンドル固定金具のハンドル側雄螺合部に螺合することにより、釣り用リールのハンドルを釣り用リールのハンドル固定金具に固定し、釣り用リールのハンドル固定金具の他端に設けてあるリール側雄螺合部を、釣り用リールの回転軸に設けてある雌螺合部と螺合する。【選択図】図２
0003162858.tif 000002
【実用新案登録請求の範囲】
【請求項１】
釣り用リールのハンドル（１）、釣り用リールのハンドル固定金具（２）、溝付き六角袋ナット（３）、リテーナ（４）、及び、六角穴付きネジ（５）を含んで構成される魚釣用リールのハンドルであって、
釣り用リールのハンドル（１）には、中央に固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、
ハンドル固定金具（２）には、一端にハンドル側雄螺合部（２ａ）と、他端にリール側雄螺合部（２ｂ）が設けてあり、
溝付き六角袋ナット（３）は、ハンドル固定金具のハンドル側雄螺合部（２ａ）と螺合するものであって、ハンドル（１）をハンドル固定金具（２）に締め付けて固定する機能を有するものであり、
リテーナ（４）は、溝付き六角袋ナット（３）とハンドル側雄螺合部（２ａ）との間の螺合の締め付けの緩みを防止する機能を有するものであり、
六角穴付きネジ（５）は、釣り用リールのハンドル（１）に設けられた螺合孔（１ｂ）と螺合することにより、リテーナ（４）をハンドル（１）に固定する機能を有するものであり、
ハンドル固定金具（２）の他端に設けてあるリール側雄螺合部（２ｂ）を、魚釣用リールの回転駆動軸に設けてあるリール雌螺合部（６）と螺合することにより、
魚釣り用リールの回転駆動軸に迅速且つ簡便に装着固定することができるものであることを特徴とする
魚釣用リールのハンドル。
【請求項２】
釣り用リールのハンドル（１）、釣り用リールのハンドル固定金具（２）、溝付き六角袋ナット（３）、リテーナ（４）、及び、六角穴付きネジ（５）を含んで構成される魚釣用リールのハンドルであって、
釣り用リールのハンドル（１）には、中央に固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、
ハンドル固定金具（２）には、一端にハンドル側雄螺合部（２ａ）と、他端にリール側雌螺合部（２ｃ）が設けてあり、
溝付き六角袋ナット（３）は、ハンドル固定金具のハンドル側雄螺合部（２ａ）と螺合するものであって、ハンドル（１）をハンドル固定金具（２）に締め付けて固定する機能を有するものであり、
リテーナ（４）は、溝付き六角袋ナット（３）とハンドル側雄螺合部（２ａ）との間の螺合の締め付けの緩みを防止する機能を有するものであり、
六角穴付きネジ（５）は、釣り用リールのハンドル（１）に設けられた螺合孔（１ｂ）と螺合することにより、リテーナ（４）をハンドル（１）に固定する機能を有するものであり、
ハンドル固定金具（２）の他端に設けてあるリール側雌螺合部（２ｃ）を、魚釣用リールの回転駆動軸に設けてあるリール雄螺合部（７）と螺合することにより、
魚釣り用リールの回転駆動軸に迅速且つ簡便に装着固定することができるものであることを特徴とする
魚釣用リールのハンドル。
【考案の詳細な説明】
【技術分野】
【０００１】
本考案に係る魚釣り用リールのハンドルは、釣り人の嗜好に沿って、釣り人にとって機能的にもデザイン的にも使いやすいものを、標準で装着されているハンドルと交換して、釣り用リールに極めて簡便に固定することができるものである。
【背景技術】
【０００２】
従来、魚釣用リールのハンドルは実開昭５６−０２１９７１号公報、実開昭５８−００９６７８３号公報、実開平０５−０１５７６６号公報、意匠登録１３５７６８７号公報、意匠登録１３５７６８８号公報で知られるように、ハンドルアームに突設した支軸外周にハンドルノブの中空軸部を回転自在に抜止め支持した構成としていた。
前記公報に開示されている構成では、いずれも支軸に対して回動自在に設けられたハンドルノブは一つであり、ハンドルノブを手探りで捜すような場合には、ハンドルノブを見付けにくいという欠点があった。
意匠登録１３５７６８９号公報に開示されている構成では、支軸に対して回動自在に設けられたハンドルノブは二つであるが、二つであっても、ハンドルノブを手探りで捜すような場合には、ハンドルノブを見付けにくいという欠点があった。
市販の魚釣り用リールには、標準的なハンドルが取り付けられているが、釣り人にとっては、機能的にもデザイン的にも、必ずしも使いやすいものではなかった。
【先行技術文献】
【特許文献】
【０００３】
【特許文献１】実開昭５６−０２１９７１号公報
【特許文献２】実開昭５８−００９６７８３号公報
【特許文献３】実開平０５−０１５７６６号公報
【特許文献４】意匠登録１３５７６８７号公報
【特許文献５】意匠登録１３５７６８８号公報
【特許文献６】意匠登録１３５７６８９号公報
【考案の概要】
【考案が解決しようとする課題】
【０００４】
本願考案が解決しようとする問題点は、釣り人の嗜好に沿って、釣り人にとって機能的にもデザイン的にも使いやすいものを、標準で装着されているハンドルと交換して、釣り用リールに極めて簡便に固定することができる魚釣用リールのハンドルを提供することにある。
【課題を解決するための手段】
【０００５】
［請求項１］
釣り用リールのハンドル（１）、釣り用リールのハンドル固定金具（２）、溝付き六角袋ナット（３）、リテーナ（４）、及び、六角穴付きネジ（５）を含んで構成される魚釣用リールのハンドルであって、
釣り用リールのハンドル（１）には、中央に固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、
ハンドル固定金具（２）には、一端にハンドル側雄螺合部（２ａ）と、他端にリール側雄螺合部（２ｂ）が設けてあり、
溝付き六角袋ナット（３）は、ハンドル固定金具のハンドル側雄螺合部（２ａ）と螺合するものであって、ハンドル（１）をハンドル固定金具（２）に締め付けて固定する機能を有するものであり、
リテーナ（４）は、溝付き六角袋ナット（３）とハンドル側雄螺合部（２ａ）との間の螺合の締め付けの緩みを防止する機能を有するものであり、
六角穴付きネジ（５）は、釣り用リールのハンドル（１）に設けられた螺合孔（１ｂ）と螺合することにより、リテーナ（４）をハンドル（１）に固定する機能を有するものであり、
ハンドル固定金具（２）の他端に設けてあるリール側雄螺合部（２ｂ）を、魚釣用リールの回転駆動軸に設けてあるリール雌螺合部（６）と螺合することにより、
魚釣り用リールの回転駆動軸に迅速且つ簡便に装着固定することができるものであることを特徴とする
魚釣用リールのハンドル。
［請求項２］
釣り用リールのハンドル（１）、釣り用リールのハンドル固定金具（２）、溝付き六角袋ナット（３）、リテーナ（４）、及び、六角穴付きネジ（５）を含んで構成される魚釣用リールのハンドルであって、
釣り用リールのハンドル（１）には、中央に固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、
ハンドル固定金具（２）には、一端にハンドル側雄螺合部（２ａ）と、他端にリール側雌螺合部（２ｃ）が設けてあり、
溝付き六角袋ナット（３）は、ハンドル固定金具のハンドル側雄螺合部（２ａ）と螺合するものであって、ハンドル（１）をハンドル固定金具（２）に締め付けて固定する機能を有するものであり、
リテーナ（４）は、溝付き六角袋ナット（３）とハンドル側雄螺合部（２ａ）との間の螺合の締め付けの緩みを防止する機能を有するものであり、
六角穴付きネジ（５）は、釣り用リールのハンドル（１）に設けられた螺合孔（１ｂ）と螺合することにより、リテーナ（４）をハンドル（１）に固定する機能を有するものであり、
ハンドル固定金具（２）の他端に設けてあるリール側雌螺合部（２ｃ）を、魚釣用リールの回転駆動軸に設けてあるリール雄螺合部（７）と螺合することにより、
魚釣り用リールの回転駆動軸に迅速且つ簡便に装着固定することができるものであることを特徴とする
魚釣用リールのハンドル。
【考案の効果】
【０００６】
本願考案に係る魚釣用リールのハンドルは、釣り人の嗜好に沿って、釣り人にとって機能的にもデザイン的にも使いやすいものを、標準で装着されているハンドルと交換して、釣り用リールに極めて簡便に固定することができる。
【図面の簡単な説明】
【０００７】
【図１】（１）は、市販の釣り用リールに標準的に取り付けられているハンドルである。（２）は、市販の釣り用リールに取り付けられた本考案に係るハンドルである。
【図２】図２に、ハンドルに固定金具を固定するための部品を示した。（１）は釣り用リールのハンドル（ハンドル）、（２）は釣り用リールのハンドル固定金具（固定金具）、（３）は溝付き六角袋ナット、（４）はリテーナ、（５）は六角穴付きネジである。
【図３】図３に、釣り用リールのハンドル固定金具・Ａタイプ（実施例１）を示した。  右端はハンドル側雄螺合部（２ａ）、左端はリール側雄螺合部（２ｂ）である。
【図４】図４に、釣り用リールのハンドル固定金具・Ｂタイプ（実施例２）を示した。  右端はハンドル側雄螺合部（２ａ）、左端はリール側雌螺合部（２ｃ）である。
【図５】図５に、釣り用リールのハンドル固定金具におけるハンドル側雄螺合部（２ａ）を示した（実施例１、実施例２共通）。
【図６】図６に、本願考案に係る魚釣用リールのハンドルを示した。（Ａ）は表面、（Ｂ）は裏面である。  矩形点線により位置を示した挿入孔（１ａ）は、固定金具のハンドル側雄螺合部（２ａ）を挿入するためのものである。  円形点線により位置を示した螺合孔（１ｂ）は、リテーナ（４）を固定するために六角穴付きネジ（６）と螺合するためのものである。
【図７】図７に、ハンドルに固定金具を固定する手順を示した。
【図８】図８に、釣り用リールのハンドル固定金具・Ａタイプ（実施例１）の釣り用リールへの取り付け方を示した。  矢印により、リール雌嵌合部（６）の位置を示した。  ハンドル固定金具（２）の他端に設けてあるリール側雄螺合部（２ｂ）を、魚釣用リールの回転駆動軸に設けてあるリール雌螺合部（６）と螺合することにより、魚釣り用リールの回転駆動軸に、魚釣用リールのハンドルを、迅速且つ簡便に装着固定することができる。
【図９】図９に、釣り用リールのハンドル固定金具・Ａタイプ（実施例１）の釣り用リールへの取り付け方を示した。
【図１０】図１０に、釣り用リールのハンドル固定金具・Ｂタイプ（実施例２）の釣り用リールへの取り付け方を示した。  矢印により、リール雄嵌合部（７）の位置を示した。  ハンドル固定金具（２）の他端に設けてあるリール側雌螺合部（２ｃ）を、魚釣用リールの回転駆動軸に設けてあるリール雄螺合部（７）と螺合することにより、魚釣り用リールの回転駆動軸に、魚釣用リールのハンドルを、迅速且つ簡便に装着固定することができる。
【図１１】図１１に、本願考案に係る魚釣用リールのハンドルを、魚釣用リールに装着した外観図を示した。
【図１２】図１２に、釣り用リールのハンドル固定金具・Ａタイプ（実施例１）の正面図を示した。
【図１３】図１３に、釣り用リールのハンドル固定金具・Ａタイプ（実施例１）の背面図を示した。
【図１４】図１４に、釣り用リールのハンドル固定金具・Ａタイプ（実施例１）の左側図を示した。
【図１５】図１５に、釣り用リールのハンドル固定金具・Ａタイプ（実施例１）の右側図を示した。
【図１６】図１６に、釣り用リールのハンドル固定金具・Ａタイプ（実施例１）の平面図を示した。
【図１７】図１７に、釣り用リールのハンドル固定金具・Ａタイプ（実施例１）の底面図を示した。
【考案を実施するための形態】
【０００８】
図１（１）に、市販の釣り用リールに標準的に取り付けられているハンドルを、図１（２）に、市販の釣り用リールに取り付けられた本考案に係るハンドルを示した。
図２に、ハンドルに固定金具を固定するための部品を示した。
図２において、（１）は釣り用リールのハンドル（ハンドル）、（２）は釣り用リールのハンドル固定金具（固定金具）、（３）は溝付き六角袋ナット、（４）はリテーナ、（５）は六角穴付きネジである。
【実施例１】
【０００９】
図３に、釣り用リールのハンドル固定金具・Ａタイプ（実施例１）を示した。
右端はハンドル側雄螺合部（２ａ）、左端はリール側雄螺合部（２ｂ）である。
【実施例２】
【００１０】
図４に、釣り用リールのハンドル固定金具・Ｂタイプ（実施例２）を示した。
右端はハンドル側雄螺合部（２ａ）、左端はリール側雌螺合部（２ｃ）である。
【００１１】
図５に、釣り用リールのハンドル固定金具におけるハンドル側雄螺合部（２ａ）を示した（実施例１、実施例２共通）。
図６に、本願考案に係る魚釣用リールのハンドルを示した。
（Ａ）は表面、（Ｂ）は裏面である。
矩形点線により位置を示した挿入孔（１ａ）は、固定金具のハンドル側雄螺合部（２ａ）を挿入するためのものである。
円形点線により位置を示した螺合孔（１ｂ）は、リテーナ（４）を固定するために六角穴付きネジ（６）と螺合するためのものである。
図７に、ハンドルに固定金具を固定する手順を示した。
図８に、釣り用リールのハンドル固定金具・Ａタイプ（実施例１）の釣り用リールへの取り付け方を示した。
矢印により、リール雌嵌合部（６）の位置を示した。
ハンドル固定金具（２）の他端に設けてあるリール側雄螺合部（２ｂ）を、魚釣用リールの回転駆動軸に設けてあるリール雌螺合部（６）と螺合することにより、魚釣り用リールの回転駆動軸に、魚釣用リールのハンドルを、迅速且つ簡便に装着固定することができる。
図９に、釣り用リールのハンドル固定金具・Ａタイプ（実施例１）の釣り用リールへの取り付け方を示した。
図１０に、釣り用リールのハンドル固定金具・Ｂタイプ（実施例２）の釣り用リールへの取り付け方を示した。
矢印により、リール雄嵌合部（７）の位置を示した。
ハンドル固定金具（２）の他端に設けてあるリール側雌螺合部（２ｃ）を、魚釣用リールの回転駆動軸に設けてあるリール雄螺合部（７）と螺合することにより、魚釣り用リールの回転駆動軸に、魚釣用リールのハンドルを、迅速且つ簡便に装着固定することができる。
図１１に、本願考案に係る魚釣用リールのハンドルを、魚釣用リールに装着した外観図を示した。
図１２に、釣り用リールのハンドル固定金具・Ａタイプ（実施例１）の正面図を示した。
図１３に、釣り用リールのハンドル固定金具・Ａタイプ（実施例１）の背面図を示した。
図１４に、釣り用リールのハンドル固定金具・Ａタイプ（実施例１）の左側図を示した。
図１５に、釣り用リールのハンドル固定金具・Ａタイプ（実施例１）の右側図を示した。
図１６に、釣り用リールのハンドル固定金具・Ａタイプ（実施例１）の平面図を示した。
図１７に、釣り用リールのハンドル固定金具・Ａタイプ（実施例１）の底面図を示した。
【産業上の利用可能性】
【００１２】
本願考案の産業上利用可能性は、釣り人の嗜好に沿って、釣り人にとって機能的にもデザイン的にも使いやすいものを、標準で装着されているハンドルと交換して、釣り用リールに極めて簡便に固定することができる魚釣用リールのハンドルを提供することができることである。
【符号の説明】
【００１３】
（１）  釣り用リールのハンドル
（１ａ）挿入孔
（１ｂ）螺合孔
（２）  釣り用リールのハンドル固定金具
（２ａ）ハンドル側雄螺合部
（２ｂ）リール側雄螺合部
（２ｃ）リール側雌螺合部
（３）  溝付き六角袋ナット
（４）  リテーナ
（５）  六角穴付きネジ
（６）  リール雌螺合部
（７）  リール雄螺合部
【図１】
0003162858.tif 000003
【図２】
0003162858.tif 000004
【図３】
0003162858.tif 000005
【図４】
0003162858.tif 000006
【図５】
0003162858.tif 000007
【図６】
0003162858.tif 000008
【図７】
0003162858.tif 000009
【図８】
0003162858.tif 000010
【図９】
0003162858.tif 000011
【図１０】
0003162858.tif 000012
【図１１】
0003162858.tif 000013
【図１２】
0003162858.tif 000014
【図１３】
0003162858.tif 000015
【図１４】
0003162858.tif 000016
【図１５】
0003162858.tif 000017
【図１６】
0003162858.tif 000018
【図１７】
0003162858.tif 000019
【手続補正書】
【提出日】平成21年11月27日(2009.11.27)
【手続補正１】
【補正対象書類名】実用新案登録請求の範囲
【補正対象項目名】全文
【補正方法】変更
【補正の内容】
【実用新案登録請求の範囲】
【請求項１】
釣り用リールのハンドル（１）、釣り用リールのハンドル固定金具（２）、溝付き六角袋ナット（３）、リテーナ（４）、及び、六角穴付きネジ（５）を含んで構成される釣り用リールのハンドルであって、  釣り用リールのハンドル（１）には、中央に釣り用リールのハンドル固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、 釣り用リールのハンドル固定金具（２）には、一端にハンドル側雄螺合部（２ａ）と、他端にリール側雄螺合部（２ｂ）が設けてあり、  溝付き六角袋ナット（３）は、釣り用リールのハンドル固定金具のハンドル側雄螺合部（２ａ）と螺合するものであって、釣り用リールのハンドル（１）を釣り用リールのハンドル固定金具（２）に締め付けて固定する機能を有するものであり、  リテーナ（４）は、溝付き六角袋ナット（３）とハンドル側雄螺合部（２ａ）との間の螺合の締め付けの緩みを防止する機能を有するものであり、  六角穴付きネジ（５）は、釣り用リールのハンドル（１）に設けられた螺合孔（１ｂ）と螺合することにより、リテーナ（４）を釣り用リールのハンドル（１）に固定する機能を有するものであり、釣り用リールのハンドル固定金具（２）の他端に設けてあるリール側雄螺合部（２ｂ）を、釣り用リールの回転駆動軸に設けてあるリール雌螺合部（６）と螺合することにより、釣り用リールの回転駆動軸に迅速且つ簡便に装着固定することができるものであることを特徴とする釣り用リールのハンドル。
【請求項２】
釣り用リールのハンドル（１）、釣り用リールのハンドル固定金具（２）、溝付き六角袋ナット（３）、リテーナ（４）、及び、六角穴付きネジ（５）を含んで構成される釣り用リールのハンドルであって、  釣り用リールのハンドル（１）には、中央に釣り用リールのハンドル固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、 釣り用リールのハンドル固定金具（２）には、一端にハンドル側雄螺合部（２ａ）と、他端にリール側雌螺合部（２ｃ）が設けてあり、  溝付き六角袋ナット（３）は、釣り用リールのハンドル固定金具のハンドル側雄螺合部（２ａ）と螺合するものであって、釣り用リールのハンドル（１）を釣り用リールのハンドル固定金具（２）に締め付けて固定する機能を有するものであり、  リテーナ（４）は、溝付き六角袋ナット（３）とハンドル側雄螺合部（２ａ）との間の螺合の締め付けの緩みを防止する機能を有するものであり、  六角穴付きネジ（５）は、釣り用リールのハンドル（１）に設けられた螺合孔（１ｂ）と螺合することにより、リテーナ（４）を釣り用リールのハンドル（１）に固定する機能を有するものであり、釣り用リールのハンドル固定金具（２）の他端に設けてあるリール側雌螺合部（２ｃ）を、釣り用リールの回転駆動軸に設けてあるリール雄螺合部（７）と螺合することにより、釣り用リールの回転駆動軸に迅速且つ簡便に装着固定することができるものであることを特徴とする釣り用リールのハンドル。
【手続補正２】
【補正対象書類名】明細書
【補正対象項目名】全文
【補正方法】変更
【補正の内容】
【考案の詳細な説明】
【技術分野】
【０００１】  本考案に係る釣り用リールのハンドルは、釣り人の嗜好に沿って、釣り人にとって機能的にもデザイン的にも使いやすいものを、標準で装着されているハンドルと交換して、釣り用リールに極めて簡便に固定することができるものである。
【背景技術】
【０００２】  従来、釣り用リールのハンドルは実開昭５６−０２１９７１号公報、実開昭５８−００９６７８３号公報、実開平０５−０１５７６６号公報、意匠登録１３５７６８７号公報、意匠登録１３５７６８８号公報で知られるように、ハンドルアームに突設した支軸外周にハンドルノブの中空軸部を回転自在に抜止め支持した構成としていた。  前記公報に開示されている構成では、いずれも支軸に対して回動自在に設けられたハンドルノブは一つであり、ハンドルノブを手探りで捜すような場合には、ハンドルノブを見付けにくいという欠点があった。  意匠登録１３５７６８９号公報に開示されている構成では、支軸に対して回動自在に設けられたハンドルノブは二つであるが、二つであっても、ハンドルノブを手探りで捜すような場合には、ハンドルノブを見付けにくいという欠点があった。  市販の釣り用リールには、標準的なハンドルが取り付けられているが、釣り人にとっては、機能的にもデザイン的にも、必ずしも使いやすいものではなかった。
【先行技術文献】
【特許文献】
【０００３】
【特許文献１】実開昭５６−０２１９７１号公報
【特許文献２】実開昭５８−００９６７８３号公報
【特許文献３】実開平０５−０１５７６６号公報
【特許文献４】意匠登録１３５７６８７号公報
【特許文献５】意匠登録１３５７６８８号公報
【特許文献６】意匠登録１３５７６８９号公報
【考案の概要】
【考案が解決しようとする課題】
【０００４】  本願考案が解決しようとする問題点は、釣り人の嗜好に沿って、釣り人にとって機能的にもデザイン的にも使いやすいものを、標準で装着されているハンドルと交換して、釣り用リールに極めて簡便に固定することができる釣り用リールのハンドルを提供することにある。
【課題を解決するための手段】
【０００５】［請求項１］  釣り用リールのハンドル（１）、釣り用リールのハンドル固定金具（２）、溝付き六角袋ナット（３）、リテーナ（４）、及び、六角穴付きネジ（５）を含んで構成される釣り用リールのハンドルであって、  釣り用リールのハンドル（１）には、中央に釣り用リールのハンドル固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、 釣り用リールのハンドル固定金具（２）には、一端にハンドル側雄螺合部（２ａ）と、他端にリール側雄螺合部（２ｂ）が設けてあり、  溝付き六角袋ナット（３）は、釣り用リールのハンドル固定金具のハンドル側雄螺合部（２ａ）と螺合するものであって、釣り用リールのハンドル（１）を釣り用リールのハンドル固定金具（２）に締め付けて固定する機能を有するものであり、  リテーナ（４）は、溝付き六角袋ナット（３）とハンドル側雄螺合部（２ａ）との間の螺合の締め付けの緩みを防止する機能を有するものであり、  六角穴付きネジ（５）は、釣り用リールのハンドル（１）に設けられた螺合孔（１ｂ）と螺合することにより、リテーナ（４）を釣り用リールのハンドル（１）に固定する機能を有するものであり、釣り用リールのハンドル固定金具（２）の他端に設けてあるリール側雄螺合部（２ｂ）を、釣り用リールの回転駆動軸に設けてあるリール雌螺合部（６）と螺合することにより、釣り用リールの回転駆動軸に迅速且つ簡便に装着固定することができるものであることを特徴とする釣り用リールのハンドル。［請求項２］  釣り用リールのハンドル（１）、釣り用リールのハンドル固定金具（２）、溝付き六角袋ナット（３）、リテーナ（４）、及び、六角穴付きネジ（５）を含んで構成される釣り用リールのハンドルであって、  釣り用リールのハンドル（１）には、中央に釣り用リールのハンドル固定金具（２）のハンドル側雄螺合部（２ａ）を挿入するための挿入孔（１ａ）が設けてあり、挿入孔（１ａ）の外側に少なくとも一つの螺合孔（１ｂ）が設けてあり、 釣り用リールのハンドル固定金具（２）には、一端にハンドル側雄螺合部（２ａ）と、他端にリール側雌螺合部（２ｃ）が設けてあり、  溝付き六角袋ナット（３）は、釣り用リールのハンドル固定金具のハンドル側雄螺合部（２ａ）と螺合するものであって、釣り用リールのハンドル（１）を釣り用リールのハンドル固定金具（２）に締め付けて固定する機能を有するものであり、  リテーナ（４）は、溝付き六角袋ナット（３）とハンドル側雄螺合部（２ａ）との間の螺合の締め付けの緩みを防止する機能を有するものであり、  六角穴付きネジ（５）は、釣り用リールのハンドル（１）に設けられた螺合孔（１ｂ）と螺合することにより、リテーナ（４）を釣り用リールのハンドル（１）に固定する機能を有するものであり、釣り用リールのハンドル固定金具（２）の他端に設けてあるリール側雌螺合部（２ｃ）を、釣り用リールの回転駆動軸に設けてあるリール雄螺合部（７）と螺合することにより、釣り用リールの回転駆動軸に迅速且つ簡便に装着固定することができるものであることを特徴とする釣り用リールのハンドル。
【考案の効果】
【０００６】  本願考案に係る釣り用リールのハンドルは、釣り人の嗜好に沿って、釣り人にとって機能的にもデザイン的にも使いやすいものを、標準で装着されているハンドルと交換して、釣り用リールに極めて簡便に固定することができる。
【図面の簡単な説明】
【０００７】
【図１】（１）は、市販の釣り用リールに標準的に取り付けられているハンドルである。（２）は、市販の釣り用リールに取り付けられた本考案に係るハンドルである。
【図２】図２に、ハンドルに釣り用リールのハンドル固定金具を固定するための部品を示した。（１）は釣り用リールのハンドル（ハンドル）、（２）は釣り用リールのハンドル固定金具（固定金具）、（３）は溝付き六角袋ナット、（４）はリテーナ、（５）は六角穴付きネジである。
【図３】図３に、釣り用リールのハンドル固定金具・Ａタイプ（実施例１）を示した。  右端はハンドル側雄螺合部（２ａ）、左端はリール側雄螺合部（２ｂ）である。
【図４】図４に、釣り用リールのハンドル固定金具・Ｂタイプ（実施例２）を示した。  右端はハンドル側雄螺合部（２ａ）、左端はリール側雌螺合部（２ｃ）である。
【図５】図５に、釣り用リールのハンドル固定金具におけるハンドル側雄螺合部（２ａ）を示した（実施例１、実施例２共通）。
【図６】図６に、本願考案に係る釣り用リールのハンドルを示した。（Ａ）は表面、（Ｂ）は裏面である。  矩形点線により位置を示した挿入孔（１ａ）は、釣り用リールのハンドル固定金具のハンドル側雄螺合部（２ａ）を挿入するためのものである。  円形点線により位置を示した螺合孔（１ｂ）は、リテーナ（４）を固定するために六角穴付きネジ（６）と螺合するためのものである。
【図７】図７に、ハンドルに釣り用リールのハンドル固定金具を固定する手順を示した。
【図８】図８に、釣り用リールのハンドル固定金具・Ａタイプ（実施例１）の釣り用リールへの取り付け方を示した。  矢印により、リール雌嵌合部（６）の位置を示した。  釣り用リールのハンドル固定金具（２）の他端に設けてあるリール側雄螺合部（２ｂ）を、釣り用リールの回転駆動軸に設けてあるリール雌螺合部（６）と螺合することにより、釣り用リールの回転駆動軸に、釣り用リールのハンドルを、迅速且つ簡便に装着固定することができる。
【図９】図９に、釣り用リールのハンドル固定金具・Ａタイプ（実施例１）の釣り用リールへの取り付け方を示した。
【図１０】図１０に、釣り用リールのハンドル固定金具・Ｂタイプ（実施例２）の釣り用リールへの取り付け方を示した。  矢印により、リール雄嵌合部（７）の位置を示した。  釣り用リールのハンドル固定金具（２）の他端に設けてあるリール側雌螺合部（２ｃ）を、釣り用リールの回転駆動軸に設けてあるリール雄螺合部（７）と螺合することにより、釣り用リールの回転駆動軸に、釣り用リールのハンドルを、迅速且つ簡便に装着固定することができる。
【図１１】図１１に、本願考案に係る釣り用リールのハンドルを、釣り用リールに装着した外観図を示した。
【図１２】図１２に、釣り用リールのハンドル固定金具・Ａタイプ（実施例１）の正面図を示した。
【図１３】図１３に、釣り用リールのハンドル固定金具・Ａタイプ（実施例１）の背面図を示した。
【図１４】図１４に、釣り用リールのハンドル固定金具・Ａタイプ（実施例１）の左側図を示した。
【図１５】図１５に、釣り用リールのハンドル固定金具・Ａタイプ（実施例１）の右側図を示した。
【図１６】図１６に、釣り用リールのハンドル固定金具・Ａタイプ（実施例１）の平面図を示した。
【図１７】図１７に、釣り用リールのハンドル固定金具・Ａタイプ（実施例１）の底面図を示した。
【考案を実施するための形態】
【０００８】  図１（１）に、市販の釣り用リールに標準的に取り付けられているハンドルを、図１（２）に、市販の釣り用リールに取り付けられた本考案に係るハンドルを示した。  図２に、ハンドルに釣り用リールのハンドル固定金具を固定するための部品を示した。  図２において、（１）は釣り用リールのハンドル（ハンドル）、（２）は釣り用リールのハンドル固定金具（固定金具）、（３）は溝付き六角袋ナット、（４）はリテーナ、（５）は六角穴付きネジである。
【実施例１】
【０００９】  図３に、釣り用リールのハンドル固定金具・Ａタイプ（実施例１）を示した。  右端はハンドル側雄螺合部（２ａ）、左端はリール側雄螺合部（２ｂ）である。
【実施例２】
【００１０】  図４に、釣り用リールのハンドル固定金具・Ｂタイプ（実施例２）を示した。  右端はハンドル側雄螺合部（２ａ）、左端はリール側雌螺合部（２ｃ）である。【００１１】  図５に、釣り用リールのハンドル固定金具（図中「ハンドル固定金具」）におけるハンドル側雄螺合部（２ａ）を示した（実施例１、実施例２共通）。  図６に、本願考案に係る釣り用リールのハンドルを示した。  （Ａ）は表面、（Ｂ）は裏面である。  矩形点線により位置を示した挿入孔（１ａ）は、釣り用リールのハンドル固定金具（図中「固定金具」）のハンドル側雄螺合部（２ａ）を挿入するためのものである。  円形点線により位置を示した螺合孔（１ｂ）は、リテーナ（４）を固定するために六角穴付きネジ（６）と螺合するためのものである。  図７に、釣り用リールのハンドルに釣り用リールのハンドル固定金具（図中「ハンドル固定金具」）を固定する手順を示した。  図８に、釣り用リールのハンドル固定金具・Ａタイプ（実施例１）の釣り用リールへの取り付け方を示した。  矢印により、リール雌嵌合部（６）の位置を示した。 釣り用リールのハンドル固定金具（２）の他端に設けてあるリール側雄螺合部（２ｂ）を、釣り用リールの回転駆動軸に設けてあるリール雌螺合部（６）と螺合することにより、釣り用リールの回転駆動軸に、釣り用リールのハンドルを、迅速且つ簡便に装着固定することができる。  図９に、釣り用リールのハンドル固定金具・Ａタイプ（実施例１）の釣り用リールへの取り付け方を示した。  図１０に、釣り用リールのハンドル固定金具・Ｂタイプ（実施例２）の釣り用リールへの取り付け方を示した。  矢印により、リール雄嵌合部（７）の位置を示した。 釣り用リールのハンドル固定金具（２）の他端に設けてあるリール側雌螺合部（２ｃ）を、釣り用リールの回転駆動軸に設けてあるリール雄螺合部（７）と螺合することにより、釣り用リールの回転駆動軸に、釣り用リールのハンドルを、迅速且つ簡便に装着固定することができる。  図１１に、本願考案に係る釣り用リールのハンドルを、釣り用リールに装着した外観図を示した。  図１２に、釣り用リールのハンドル固定金具・Ａタイプ（実施例１）の正面図を示した。  図１３に、釣り用リールのハンドル固定金具・Ａタイプ（実施例１）の背面図を示した。  図１４に、釣り用リールのハンドル固定金具・Ａタイプ（実施例１）の左側図を示した。  図１５に、釣り用リールのハンドル固定金具・Ａタイプ（実施例１）の右側図を示した。  図１６に、釣り用リールのハンドル固定金具・Ａタイプ（実施例１）の平面図を示した。  図１７に、釣り用リールのハンドル固定金具・Ａタイプ（実施例１）の底面図を示した。
【産業上の利用可能性】
【００１２】    本願考案の産業上利用可能性は、釣り人の嗜好に沿って、釣り人にとって機能的にもデザイン的にも使いやすいものを、標準で装着されているハンドルと交換して、釣り用リールに極めて簡便に固定することができる釣り用リールのハンドルを提供することができることである。
【符号の説明】
【００１３】（１）  釣り用リールのハンドル（１ａ）挿入孔（１ｂ）螺合孔（２）  釣り用リールのハンドル固定金具（２ａ）ハンドル側雄螺合部（２ｂ）リール側雄螺合部（２ｃ）リール側雌螺合部（３）  溝付き六角袋ナット（４）  リテーナ（５）  六角穴付きネジ（６）  リール雌螺合部（７）  リール雄螺合部